(57)【特許請求の範囲】
【請求項１】
周囲がそれぞれ断熱壁である左側壁部、右側壁部、奥壁部、天井壁部、および底壁部を組み合わせることによって形成され内部に前面が開口した貯蔵室を有するキャビネット本体を備え、
前記キャビネット本体の前記断熱壁にあって前記貯蔵室を挟んで対向する前記左側壁部と前記右側壁部、並びに前記奥壁部は、それぞれ前記貯蔵室の内面を形成する合成樹脂製の内板と前記断熱壁の外面を形成する金属板製の外板との間に断熱パネルとして真空断熱パネルを設けて構成したものであり、
前記貯蔵室の左後部のコーナー部には前記左側壁部と前記奥壁部を連結固定するコーナー固定具が設けられ、前記貯蔵室の右後部のコーナー部にも前記右側壁部と前記奥壁部を連結固定するコーナー固定具が設けられ、
前記貯蔵室にあって対向する左側面と右側面との間の間隔は、前記貯蔵室の前部と後部でほぼ同じ寸法に設定され、
前記貯蔵室にあって対向する左側面および右側面には、前後方向に延びる引き出し用のレールが対向状態で設けられていて、これら左右のレール間の間隔は、前部と後部でほぼ同じ寸法に設定されていることを特徴とする断熱キャビネット。
【請求項２】
前記貯蔵室にあって対向する左側面および右側面に設けられた棚設置部と、
前後方向の奥行き寸法が前記棚設置部の奥行き寸法に対応して設定され、前記棚設置部に設置可能な第１の棚と、
前後方向の奥行き寸法が前記第１の棚よりも短く設定された第２の棚と、を備え、
前記第２の棚は、前記棚設置部の前部にも奥部にも設置が可能に構成されていることを特徴とする請求項１記載の断熱キャビネット。
【発明の詳細な説明】
【技術分野】
【０００１】
本発明の実施形態は、断熱キャビネットに関する。
【背景技術】
【０００２】
従来、家庭用の冷蔵庫の断熱キャビネットは、合成樹脂製の内箱と鋼板製の外箱との間に形成される空間部に、発泡ウレタンからなる発泡断熱材を発泡充填して形成したものが一般的である。このような断熱キャビネットは内箱の内部に前面が開口した貯蔵室を有していて、その貯蔵室は周囲が断熱壁によって囲まれた構成となっている。また、近年では、その断熱壁の断熱材の一部に真空断熱パネルを用い、断熱材として、真空断熱パルと発泡断熱材を併用することも提案されている。
【０００３】
このような構成の断熱キャビネットにおいては、内箱を成形する際や、内箱と外箱との間に発泡断熱材を発泡充填する際に、内箱の内側に成形治具を設け、内箱の成形後や発泡断熱材の発泡充填後にその成形治具を内箱から型抜きする必要がある。この場合、内箱の内面には、成形治具を抜くための抜き勾配が必要となる。このため、貯蔵室にあって対向する左側面と右側面との間の間隔は、開口部側の前部に比べて奥側の後部が小さく設定されている（特許文献１の図７参照）。
【先行技術文献】
【特許文献】
【０００４】
【特許文献１】特開２０１１−５８６５７号公報
【発明の概要】
【発明が解決しようとする課題】
【０００５】
貯蔵室にあって対向する左側面と右側面との間の間隔が、開口部側の前部と奥側の後部で異なっている場合、貯蔵室の内部に設けられる棚やレールなどの内装品の設計に制約を受けるという問題がある。
【０００６】
そこで、貯蔵室にあって対向する左側面と右側面との間の間隔を前部と後部でほぼ同じに設定することができて、貯蔵室内の内装の設計の自由度を大きくすることができる断熱キャビネットを提供する。
【課題を解決するための手段】
【０００７】
本実施形態の断熱キャビネットは、周囲がそれぞれ断熱壁である左側壁部、右側壁部、奥壁部、天井壁部、および底壁部を組み合わせることによって形成され内部に前面が開口した貯蔵室を有するキャビネット本体を備える。キャビネット本体の断熱壁にあって貯蔵室を挟んで対向する左側壁部と右側壁部、並びに奥壁部は、それぞれ貯蔵室の内面を形成する合成樹脂製の内板と断熱壁の外面を形成する金属板製の外板との間に断熱パネルとして真空断熱パネルを設けて構成したものである。貯蔵室の左後部のコーナー部には左側壁部と奥壁部を連結固定するコーナー固定具が設けられ、貯蔵室の右後部のコーナー部にも右側壁前記奥壁部を連結固定するコーナー固定具が設けられている。貯蔵室にあって対向する左側面と右側面との間の間隔は、貯蔵室の前部と後部でほぼ同じ寸法に設定する。貯蔵室にあって対向する左側面および右側面には、前後方向に延びる引き出し用のレールが対向状態で設けられていて、これら左右のレール間の間隔は、前部と後部でほぼ同じ寸法に設定されている。
【図面の簡単な説明】
【０００８】
【図１】第１実施形態による冷蔵庫の斜視図
【図２】断熱キャビネットを右上方から見た斜視図
【図３】断熱キャビネットを右下方から見た斜視図
【図４】キャビネット本体の分解斜視図
【図５】左側壁部の分解斜視図
【図６】キャビネット本体の縦断側面図
【図７】キャビネット本体の縦断正面図
【図８】断熱キャビネットの横断平面図
【図９】断熱キャビネットの冷蔵室の棚設置部付近を下から見た状態の横断底面図
【図１０】左側壁部と奥壁部との連結部分を示す横断平面図
【図１１】図１２の切断線Ｘ１１−Ｘ１１に沿って示す断面図
【図１２】内板に連結用固定具を取り付けた部分の斜視図
【図１３】内板に後ろ側の棚受部材を取り付けた部分の正面図
【図１４】図１３の切断線Ｘ１４−Ｘ１４に沿って示す断面図
【図１５】図１３の切断線Ｘ１５−Ｘ１５に沿って示す断面図
【図１６】内板に棚受部材を取り付けた部分の斜視図
【図１７】図２０の切断線Ｘ１７−Ｘ１７に沿って示す断面図
【図１８】内板に仕切板用取付部材を取り付けた部分の斜視図
【図１９】内板の仕切板用取付部材用の孔部およびスリット部分の正面図
【図２０】内板における仕切板用取付部材部分の正面図
【図２１】内板における第１のレール用取付部材部分の斜視図
【図２２】内板における第１のレール用取付部材部分の正面図
【図２３】図２２の切断線Ｘ２３−Ｘ２３に沿って示す断面図
【図２４】第１のレール用取付部材およびレールを取り付けた部分の縦断面図
【図２５】内板に仕切壁用取付部材を取り付けた部分の斜視図
【図２６】仕切壁用取付部材に断熱仕切壁を配置した状態の縦断面図
【図２７】抜き勾配を説明する図
【図２８】第２実施形態による左側壁部と奥壁部とのコーナー部分を示す横断平面図
【発明を実施するための形態】
【０００９】
以下、複数の実施形態による冷蔵庫の断熱キャビネットを図面を参照して説明する。なお、各実施形態において実質的に同一の部分には同一の符号を付し、説明を省略する。
（第１実施形態）
まず、第１実施形態について図１〜図２７を参照して説明する。図１には第１実施形態の冷蔵庫１の外観が示され、図２及び図３には冷蔵庫１の断熱キャビネット２の外観が示されている。断熱キャビネット２の内部には、上から順に冷蔵室３、野菜室４が設けられ、この野菜室４の下方に製氷室５と小冷凍室６が左右に並べて設けられ、最下部に主冷凍室７が設けられている。これら冷蔵室３、野菜室４、製氷室５、小冷凍室６、及び主冷凍室７は、それぞれ貯蔵室を形成している。このうち、冷蔵室３及び野菜室４は、庫内温度が例えば１℃〜５℃程度の冷蔵温度に制御される。このように冷蔵室３及び野菜室４は、いずれも冷蔵温度帯の貯蔵室であることから、例えば合成樹脂製の仕切板８によって仕切られている。製氷室５、小冷凍室６、及び主冷凍室７は、庫内温度が例えば−１８℃以下の冷凍温度に制御されるもので、冷凍温度帯の貯蔵室である。冷蔵温度帯の野菜室４と、冷凍温度帯の製氷室５及び小冷凍室６との間は、断熱性を有する断熱仕切壁９によって上下に仕切られている。
【００１０】
図２及び図３に示すように断熱キャビネット２の前部において、前記仕切板８の前方に位置させて横方向に延びる前仕切部１０が設けられ、前記断熱仕切壁９の前方に位置させて横方向に延びる前仕切部１１が設けられている。また、断熱キャビネット２の前部において、製氷室５と小冷凍室６との間に位置させて上下方向に延びる前仕切部１２が設けられ、製氷室５及び小冷凍室６と主冷凍室７との間に位置させて横方向に延びる前仕切部１３が設けられている。
【００１１】
冷蔵室３は、前面が２枚の扉１５，１６によって開閉される。扉１５，１６は、断熱キャビネット２の左右両端部に設けられたヒンジ部１７，１８を中心に前後方向に回動される観音開き式である。野菜室４は、前面が引き出し式の扉１９によって開閉される。その扉１９の裏側には、図示しない野菜収納容器が設けられている。製氷室５は、前面が引き出し式の扉２０によって開閉される。製氷室５には図示しない製氷装置が設けられ、扉２０の裏側には、図示しない氷収納容器が設けられている。小冷凍室６は、前面が引き出し式の扉２１によって開閉される。その扉２１の裏側には、図示しない収納容器が設けられている。主冷凍室７も、前面が引き出し式の扉２２によって開閉される。その扉２２の裏側には、図示しない収納容器が設けられている。各扉１５，１６，１９，２０，２１，２２は、断熱性を有している。
【００１２】
前記断熱キャビネット２のキャビネット本体２ａは、図４に示すように、それぞれ別々に形成された、左側壁を形成する左側壁部２４と、右側壁を形成する右側壁部２５と、奥壁を形成する奥壁部２６と、天井壁を形成する天井壁部２７と、底壁を形成する底壁部２８とを組み合わせることによって、前面が開口した箱状に構成されている。したがって、キャビネット本体２ａは、それぞればらばらばらに形成された左側壁部２４、右側壁部２５、奥壁部２６、天井壁部２７、および底壁部２８を組み合わせることによって形成したものである。各壁部２４〜２８は、後述するようにそれぞれ断熱壁により構成されている。
【００１３】
左側壁部２４と奥壁部２６は、左後部のコーナー部においてコーナー固定具２９（図４、図８、図９、図１０参照）を用いて連結固定されている。また、右側壁部２５と奥壁部２６も、右後部のコーナー部において前記コーナー固定具２９と同様なコーナー固定具２９（図８、図９参照）を用いて連結固定されている。これらの連結構造については後述する。左側壁部２４の前部と右側壁部２５の前部とは、前記前仕切部１０，１１，１３によって連結されている。断熱キャビネット２は、それら前仕切部１０，１１，１３によって補強されている。
【００１４】
上記した各壁部２４〜２７のうち、左側壁部２４は、基本的には、図５に示すように、外箱用の金属板製の外板３０と、内箱用の合成樹脂製の内板３１と、これら外板３０と内板３１との間に挟まれた状態で配置される断熱パネルとしての真空断熱パネル３２とから構成されている。真空断熱パネル３２は、外板３０と内板３１にそれぞれ接着剤により接着固定されている。接着剤としては例えばホットメルトが用いられる。右側壁部２５および奥壁部２６も、基本的には左側壁部２４と同様に、図６〜図９に示すように、外箱用の金属板製の外板３０と、内箱用の合成樹脂製の内板３１と、これら外板３０と内板３１との間に挟まれた状態で配置される断熱パネルとしての真空断熱パネル３２とから構成されている。
【００１５】
天井壁部２７は、図６および図７に示すように、外箱用の金属板製の外板３０と、内箱用の合成樹脂製の内板３１と、これら外板３０と内板３１との間に設けられた断熱材としての真空断熱パネル３２および発泡断熱材３３とから構成されている。真空断熱パネル３２は、内板３１に接着剤により接着固定されている。この天井壁部２７には、上面側の後部に前部より低く形成された機械室３４が設けられていて、天井壁部２７の後部は、前部より低く形成されている。天井壁部２７において、機械室形成部分となる後部は下方へ突出する凸部３４ａとなっている。機械室３４には、冷凍サイクルのコンプレッサ３５などが収容される。天井壁部２７は、単純な平板状ではなく、このように屈曲した形状であるとともに、大きな強度も必要なことから、真空断熱パネル３２と発泡断熱材３３が併用されている。天井壁部２７において、発泡断熱材３３は、主に機械室３４を形成する後部部分と、当該天井壁部２７が接続される左側壁部２４、右側壁部２５、および奥壁部２６の上部との突き合わせ部分に配置されている。
【００１６】
底壁部２８も、基本的には天井壁部２７と同様に、外箱用の金属板製の外板３０と、内箱用の合成樹脂製の内板３１と、これら外板３０と内板３１との間に設けられた断熱材としての真空断熱パネル３２および発泡断熱材３３とから構成されている。真空断熱パネル３２は、内板３１に接着剤により接着固定されている。底壁部２８においても、真空断熱パネル３２と発泡断熱材３３が併用されている。底壁部２８において、発泡断熱材３３は、主に後部部分と、当該底壁部２８が接続される左側壁部２４、右側壁部２５、および奥壁部２６の下部との突き合わせ部分に配置されている。
【００１７】
真空断熱パネル３２は、図１０に示すように、ガラスウールなどのコア材３６と、ガスバリア性を有する包装材３７とから構成されている。真空断熱パネル３２は、コア材３６を包装材３７内に収容し、この状態で包装材３７内を真空引きすることによってパネル状（板状）に製造されたもので、断熱性能に優れている。
【００１８】
ここで、左側壁部２４と奥壁部２６との連結構造について説明する。これらを連結するコーナー固定具２９は、図４に示すように、上下方向に長く延びている。コーナー固定具２９は、例えば合成樹脂にて形成されている。このコーナー固定具２９の裏側には、三角柱状をなす断熱材３８（図８、図９、図１０参照）が配置されている。この断熱材３８は、発泡スチロールなどの成形品である。コーナー固定具２９の左右両側には、ねじ止め用の段部３９が上下方向に複数個設けられている。これら各段部３９には、図１０に示すように、ねじ挿通孔３９ａが形成されている。そして、これら各段部３９に対応して、左側壁部２４の内板３１および奥壁部２６の内板３１には、連結用固定具４０が取り付けられている。
【００１９】
連結用固定具４０は、例えば合成樹脂により形成されたもので、図１０〜図１２に示すように、ねじ穴４０ａを有するボス部４０ｂと、このボス部４０ｂの基端部に上下の側方へ張り出すように設けられた板状の挟持部４０ｃとを一体に有している。各連結用固定具４０は、対応する内板３１を真空断熱パネル３２に接着する前の状態で、内板３１の裏側（真空断熱パネル３２が接着される側）からボス部４０ｂを、内板３１に形成された孔部４１に挿通し、挟持部４０ｃを内板３１の裏面に接着剤により接着することにより、内板３１に取り付けられる。真空断熱パネル３２を内板３１の裏面に接着することで、各連結用固定具４０の挟持部４０ｃが、それら真空断熱パネル３２と内板３１との間で挟持される。
【００２０】
そして、左側壁部２４と奥壁部２６とを連結する際には、これらのコーナー部に貯蔵室側から断熱材３８およびコーナー固定具２９をあてがった状態で、貯蔵室側からねじ４２を、各段部３９のねじ挿通孔３９ａを通して各連結用固定具４０のねじ穴４０ａにねじ込む。これにより、左側壁部２４と奥壁部２６は、コーナー固定具２９を介して連結固定される。このとき、左側壁部２４と奥壁部２６は、コーナー固定具２９および断熱材３８により直角をなす状態に保持される。なお、右側壁部２５と奥壁部２６も、上記した左側壁部２４と奥壁部２６の連結構造と同様な構成にて連結されている。これにより、右側壁部２５と奥壁部２６は、コーナー固定具２９および断熱材３８により直角をなす状態に保持される。
【００２１】
なお、左側壁部２４および右側壁部２５の後端部、および奥壁部２６の左右両端部には、対応する真空断熱パネル３２の端部を覆うようにして断熱材４３が設けられている。この断熱材４３は、例えば発泡スチロールなどの成形品である。
【００２２】
次に、左側壁部２４の内板３１および右側壁部２５の内板３１に取り付けられる各部品の取付構造について、左側壁部２４側を代表して説明する。左側壁部２４の内板３１には、図５に示すように、前記連結用固定具４０の他、前後２個の棚受部材４４，４５と、仕切板用取付部材４６と、第１のレール用取付部材４７と、仕切壁用取付部材４８と、第２のレール用取付部材４９が取り付けられており、これらを一体に備えた状態で、前記真空断熱パネル３２に接着されるものである。
【００２３】
なお、左側壁部２４と対向する右側壁部２５の内板３１にも、左側壁部２４の内板３１と同様に、前記連結用固定具４０の他、前後２個の棚受部材４４，４５と、仕切板用取付部材４６と、第１のレール用取付部材４７と、仕切壁用取付部材４８と、第２のレール用取付部材４９が取り付けられる。
【００２４】
以下、左側壁部２４に取り付けられた棚受部材４４，４５と、仕切板用取付部材４６と、第１のレール用取付部材４７と、仕切壁用取付部材４８と、第２のレール用取付部材４９について説明する。
【００２５】
まず、後ろ側の棚受部材４４は、図１３〜図１６に示すように、例えば金属板により形成されたもので、上下方向に延びる矩形状の基板部４４ａと、複数この場合４個の棚受突部５０と、２個の切起し片５１とを一体に有している。棚受突部５０は、それぞれ上向きの鉤状をなし、上段に２個と、下段に２個配置されている。上段の２個の棚受突部５０間に位置させて、１個の切起し片５１が配置され、下段の２個の棚受突部５０間にも１個の切起し片５１が配置されている。
【００２６】
そして、左側壁部２４の内板３１には、後ろ側の棚受部材４４に対応して、矩形状の孔部５２が上下に２個形成されており、左側壁部２４の組み立て前において、内板３１の裏面（冷蔵庫の庫内の面を表面としたときの裏面）から、各棚受突部５０および切起し片５１を対応する孔部５２に挿入して内板３１の表側（貯蔵室側）へ突出させ、基板部４４ａを内板３１の裏面の孔部５２周辺部に接着している。そして、この基板部４４ａ及び内板３１の一体物（図５参照）の裏面と真空断熱パネル３２とを接着している。この左側壁部２４の組み立て完成状態では、この基板部４４ａは内板３１と真空断熱パネル３２とで挟持されている（図１４、図１５参照）。この後ろ側の棚受部材４４は、貯蔵室のうち冷蔵室３において、天井壁部２７の機械室３４の下方付近に配置されている。
【００２７】
前側の棚受部材４５は、基板部４５ａの上下方向の長さが、後ろ側の棚受部材４４の基板部４４ａよりも長く設定されていて、棚受突部５０が、上下方向に３段設けられている。棚受突部５０は、各段２個ずつで、合計６個設けられている。この前側の棚受部材４５は、基本的に上記した後ろ側の棚受部材４４と同様にして内板３１に取り付けられている。
【００２８】
この場合、前側の棚受部材４５の上段の棚受突部５０は、機械室３４（凸部３４ａ）の前方に配置され、前側の棚受部材４５の中段の棚受突部５０および下段の棚受突部５０は、後ろ側の棚受部材４４の上段および下段の棚受突部５０の前方に並ぶように配置されている。これにより、前側の上段の２個の棚受突部５０により最上段の棚設置部５３が形成され、前側の中段の２個の棚受突部５０と後ろ側の上段の２個の棚受突部５０により中段の棚設置部５４が形成され、前側の下段の２個の棚受突部５０と後ろ側の下段の２個の棚受突部５０により下段の棚設置部５５が形成されている。中段の棚設置部５４と下段の棚設置部５５の前後方向の奥行き寸法は同じに設定されている。また、前部の最上段の棚設置部５３は、それら中段および下段の棚設置部５４，５５よりも前後方向の奥行き寸法が小さく設定されている。
【００２９】
中段および下段の棚設置部５４，５５には、図２に示すように第１の棚５６（下段側の第１の棚５６が二点鎖線で示されている）が着脱可能に設置され、また、上段の棚設置部５３にも、第２の棚５７（二点鎖線参照）が設置される。第２の棚５７は、前後方向の奥行き寸法が第１の棚５６よりも短く設定されている。なお、右側壁部２５の内板３１にも、左側壁部２４と同様な棚設置部５３，５４，５５が設けられている。
【００３０】
前記仕切板用取付部材４６は、図２、図３に示すように、冷蔵室３と野菜室４との間を仕切る仕切板８に対応する部位に位置させて、前部と後部に１個ずつ設けられている。この仕切板用取付部材４６について図１７〜図２０を参照して説明する。この仕切板用取付部材４６は、合成樹脂からなり、突出部４６ａと、これの基端部から上下に延出された挟持部４６ｂとを有して構成されている。そして、突出部４６ａの基端部と挟持部４６ｂとの間には、内板３１の板厚とほぼ同じ前後幅の溝部４６ｃが形成されている。
【００３１】
また、内板３１側には、孔部５９が形成されており、さらにこの孔部５９の後部側（図１９において右側）に当該孔部５９に連続する上下方向に長いスリット６０が形成されている。このスリット６０の縁部は、内板３１が比較的撓み易いシート部材からなることで弾性変形可能である。
【００３２】
仕切板用取付部材４６を左側壁部２４の内板３１に取り付けるについては、左側壁部２４の組み立て前において、内板３１の表側（貯蔵室側）の位置で、スリット６０に対して、仕切板用取付部材４６の上下の挟持部４６ｂを挿入し、孔部５９側へ移動させる。このとき、スリット６０の縁部を弾性変形させることで、挟持部４６ｂをスリット６０から内板３１の裏側へ挿入できる。この場合、仕切板用取付部材４６の溝部４６ｃが孔部５９の上下縁部に嵌合する。またこの場合、予め内板３１の裏面に接着剤を塗布しておくことで、挟持部４６ｂを内板３１の孔部５９周辺部に接着する。このように仕切板用取付部材４６を内板３１の表側からスリット６０に挿入させることで、突出部４６ａが孔部５９から突出する。またこの場合、突出部４６ａの溝部４６ｃが孔部５９と嵌合することで、仕切板用取付部材４６が内板３１の裏側へ抜けることがない。
【００３３】
そして、この挟持部４６ｂおよび内板３１の一体物の裏面と真空断熱パネル３２とを接着している。この左側壁部２４の組み立て完成状態では、この挟持部４６ｂは内板３１と真空断熱パネル３２とで挟持されている。このようにして左側壁部２４の内板３１に２個の仕切板用取付部材４６が取り付けられるとともに、右側壁部２５の内板３１にも２個の仕切板用取付部材４６が取り付けられ、これら４個の仕切板用取付部材４６上に前記仕切板８が設置される。
【００３４】
前記第１のレール用取付部材４７は、野菜室４に対応する部位に位置させて前部と後部に設けられている。この第１のレール用取付部材４７について図２１〜図２４を参照して説明する。この第１のレール用取付部材４７は、例えば金属板からなり、円錐形の頂部を切断したような形状の突出部４７ａと、この突出部４７ａの基端部から周囲に延びる挟持部４７ｂとを有する構成である。突出部４７ａの先端部中央部には、レール取付孔４７ｃが形成されている。さらに、挟持部４７ｂには、上部中央１箇所に上向きにＬ状をなす係合部４７ｄが形成され、下部２箇所に、庫内に突出する形態の係合部４７ｅが形成されている。
【００３５】
そして、内板３１には、突出部４７ａを挿入し突出させるための孔部６１ａが形成されていると共に、この孔部６１ａの上方１箇所に係合孔部６１ｂが形成され、下方２箇所に係合孔部６１ｃが形成されている。
【００３６】
第１のレール用取付部材４７を内板３１に取り付けるについては、左側壁部２４の組み立て前において、内板３１の裏面から、前記突出部４７ａを孔部６１ａに挿入して内板３１の表側へ突出させ、上方の係合孔部６１ｂに上方の係合部４７ｄを挿入係合させ、下方の係合孔部６１ｃに下方の係合部４７ｅを挿入係合させ、そして、挟持部４７ｂを内板３１の裏面に接着している。左側壁部２４の組み立て完成状態では、この挟持部４７ｂは内板３１と真空断熱パネル３２とで挟持されている。
【００３７】
前後二つの第１のレール用取付部材４７の突出部４７ａのレール取付孔４７ｃには、前後方向に延びる固定レール６２がねじ６２ａによりねじ止めされている。この固定レール６２は、野菜室４の扉１９の裏側に取り付けられる支持枠（図示せず）の前後方向の移動を案内する。図２４には、固定レール６２とともに可動レール６３も示されている。可動レール６３は、扉１９の支持枠に取り付けられ、扉１９とともに固定レール６２に対して前後方向へ移動する。右側壁部２５の内板３１にも、２個の第１のレール用取付部材４７および固定レール６２が取り付けられる。したがって、貯蔵室における野菜室４にあって対向する左側面と右側面には、前後方向に延びる引き出し用の固定レール６２（レール）が対向状態で設けられている（図８参照）。なお、図８は、主冷凍室７の固定レール６２が示されている。
【００３８】
前記仕切壁用取付部材４８は、前記断熱仕切壁９が設けられる部位に位置させて、前後方向に延びる形態に設けられている。この仕切壁用取付部材４８について、図２５および図２６を参照して説明する。この仕切壁用取付部材４８は、例えば金属板から全体として前後方向に延びる長尺状に形成されており、突出部４８ａと、この突出部４８ａから下方に延出された挟持部４８ｂとを有し、さらに挟持部４８ｂの下端部に係合部４８ｃを有して構成されている。突出部４８ａには、長手方向に沿う（前後方向に延びる）複数のスリット部４８ｄが形成されている。この仕切壁用取付部材４８が取り付けられる内板３１には、前記突出部４８ａを内板３１裏側から挿入するためのスリット状の孔部６４ａと、前記係合部４８ｃを同じく内板３１裏側から挿入するためのスリット状の孔部６４ｂが形成されている。
【００３９】
仕切壁用取付部材４８は、その突出部４８ａおよび係合部４８ｃが、左側壁部２４の組み立て前における内板３１の前記孔部６４ａ，６４ｂに裏側から挿入されて表側に突出され、挟持部４８ｂが内板３１裏面に接着されている。左側壁部２４の組み立て完成状態では、この挟持部４８ｂは内板３１と真空断熱パネル３２とで挟持されている。上記係合部４８ｃと孔部６４ｂとの係合により取付強度が向上する。
【００４０】
そして、図２６に示すように前記断熱仕切壁９の両端部下部の差込部９ａ（片方のみ図示）が、左側壁部２４および右側壁部２５にそれぞれ取り付けられた仕切壁用取付部材４８のスリット部４８ｄに差し込まれて係合されている。これにより断熱仕切壁９が断熱キャビネット２にその内部を横切るように配設されている。
【００４１】
前記第２のレール用取付部材４９は、主冷凍室７に対応する部位に位置させて前部と後部とに設けられている。この第２のレール用取付部材４９は、前記第１のレール用取付部材４７と、同様の構成であって、同様にして左右の側壁部２４，２５の内板３１に取り付けられている。したがって、貯蔵室における主冷凍室７にあって対向する左側面と右側面にも、前後方向に延びる引き出し用の固定レール６２（レール）が対向状態で設けられる（図８参照）。
【００４２】
上記した構成において、断熱キャビネット２の貯蔵室、例えば図８に示す主冷凍室７においては、当該主冷凍室７にあって対向する左側面と右側面との間の間隔は、主冷凍室７の前部と後部でほぼ同じ寸法に設定されている。具体的には、主冷凍室７の前部における左右方向の間隔寸法Ｌ１と、後部における左右方向の間隔寸法Ｌ２はほぼ同じ寸法に設定されている（Ｌ１≒Ｌ２）。これは、左側壁部２４および右側壁部２５において内箱を形成する内板３１の抜き勾配がほぼ０度となっているということができる。
【００４３】
ここで、抜き勾配とは、例えば図２７に示すように、成形物Ａを型成形する場合において、成形物Ａの内部の成形型（図示せず）を、当該成形物Ａの開口部方向である矢印Ｂ方向に型抜きする場合に、成形物Ａの内面Ａ１につける傾斜角度のことである。この抜き勾配θは、奥行き寸法をＣ１、内面Ａ１の前部開口部を外側へずらすずらし寸法をＣ２とした場合、次の（１）式で表すことができる。
【００４４】
ｔａｎθ＝Ｃ２／Ｃ１      …（１）
この場合、内板３１の抜き勾配がほぼ０度とは、θが±０．１４度（ｄｅｇ）以下とする。これは、例えば貯蔵室（主冷凍室７）の奥行き寸法Ｃ１が４００ｍｍ、内板３１の内面の前部開口部の外側へのずらし寸法Ｃ２を１ｍｍ以下とする場合に相当する。
【００４５】
また、上記した構成において、断熱キャビネット２の貯蔵室、例えば図８に示す主冷凍室７においては、当該主冷凍室７にあって対向する左側面および右側面に設けられた固定レール６２間の間隔も、主冷凍室７の前部と後部でほぼ同じ寸法に設定されている。具体的には、固定レール６２間の前部の間隔寸法Ｌ３と、後部の間隔寸法Ｌ４はほぼ同じ寸法に設定されている。
【００４６】
上記した実施形態においては、次のような作用効果を得ることができる。
断熱キャビネット２のキャビネット本体２ａは、それぞれ断熱壁を構成する左側壁部２４、右側壁部２５、奥壁部２６、天井壁部２７、および底壁部２８によって形成されていて、内部に前面が開口した貯蔵室（冷蔵室３、野菜室４、製氷室５、小冷凍室６、主冷凍室７）を有している。そして、そのキャビネット本体２ａにあって、貯蔵室、例えば主冷凍室７を挟んで対向する左側壁部２４と右側壁部２５は、貯蔵室の内面を形成する内板３１と断熱壁の外面を形成する外板３０との間に、予め成形された断熱パネルとして真空断熱パネル３２を接着して構成したものである。そして、貯蔵室、例えば主冷凍室７にあって対向する左側面と右側面との間の間隔は、主冷凍室７の前部と後部でほぼ同じ寸法に設定されている（図８のＬ１、Ｌ２参照）。この結果、貯蔵室（主冷凍室７など）内の固定レール６２などの内装品の設計に制約を受けることが少なくなり、内装の設計の自由度を大きくすることができる。
【００４７】
例えば、貯蔵室にあって対向する左側面と右側面との間の間隔が前部と後部とで異なっている場合、その間隔の違いに対応するために内装品の設計に制約を受け、設計の自由度が大きな制約を受けることがある。この点、本実施形態によれば、そのような不具合を解消することが可能となる。
【００４８】
貯蔵室、例えば主冷凍室７にあって対向する左側面および右側面には、前後方向に延びる引き出し用の固定レール６２が対向状態で設けられていて、これら左右の固定レール６２間の間隔は、前部と後部でほぼ同じ寸法に設定されている（図８のＬ３、Ｌ４参照）。この結果、それら固定レール６２およびこの固定レール６２に沿って移動される可動レール６３に抜き勾配のようなテーパが必要ないので、それらの設計に制約を受けることが少なくなり、それら固定レール６２および可動レール６３の設計の自由度を大きくすることができ、また、扉１９を開閉する際に一層安定した動作を提供することが可能になる。
【００４９】
断熱キャビネット２のキャビネット本体２ａは、それぞればらばらに形成された左側壁部２４、右側壁部２５、奥壁部２６、天井壁部２７、および底壁部２８を組み合わせることによって形成した。この結果、貯蔵室にあって対向する左側面と右側面との間の間隔を、貯蔵室の前部と後部でほぼ同じ寸法に設定するということを、比較的容易に実現することができる。
【００５０】
この場合、必ずしも５個の壁部２４〜２８をばらばらに形成することに限られず、例えば次のように構成することもできる。例えば、左側壁部２４と奥壁部２６と右側壁部２５の各内板３１が一体に接続されたシート状のものを形成し、これら各内板３１の裏面に真空断熱パネル３２をそれぞれ接着し、これを折り曲げてコ字形に形成する。この後、各壁部２４，２６，２５の真空断熱パネル３２の外面に外板３０を接着する。この後、別々に作られた天井壁部２７および底壁部２８を、コ字形をなす前記３つの壁部２４，２６，２５に組み付けるようにする。このように形成しても、貯蔵室にあって対向する左側面と右側面との間の間隔を、貯蔵室の前部と後部でほぼ同じ寸法に設定することができる。
【００５１】
また、例えば左側壁部２４と底壁部２８と右側壁部２５の各内板３１が一体に接続されたシート状のものを形成し、これら各内板３１の裏面に真空断熱パネル３２を接着し、これを折り曲げてコ字形に形成する。この後、各壁部２４，２８，２５の真空断熱パネル３２の外面に外板３０を接着する。この後、別々に作られた天井壁部２７と奥壁部２６を、コ字形をなす前記３つの壁部２４，２８，２５に組み付けるようにする。このように形成しても、貯蔵室にあって対向する左側面と右側面との間の間隔を、貯蔵室の前部と後部でほぼ同じ寸法に設定することができる。
【００５２】
貯蔵室のうち冷蔵室３には、上下３段の棚設置部５３，５４，５５が形成されていて、中段および下段の棚設置部５４，５５には、図２に示すように第１の棚５６（下段側の第１の棚５６が二点鎖線で示されている）が着脱可能に設置され、また、上段の棚設置部５３にも、第２の棚５７（二点鎖線参照）が設置される。第２の棚５７は、前後方向の奥行き寸法が第１の棚５６よりも短く設定されている。
【００５３】
ここで、断熱キャビネット２の貯蔵室の一つである冷蔵室３においても、主冷凍室７と同様に、冷蔵室３にあって対向する左側面と右側面との間の間隔は、当該冷蔵室３の前部と後部でほぼ同じ寸法に設定されている（図８のＬ１、Ｌ２参照）。このため、奥行き寸法が短い第２の棚５７は、図９の実線で示すように、上段の棚設置部５３のほか、中段および下段の棚設置部５４，５５の前部に設置でき、しかも、図９に二点鎖線で示すように、中段および下段の棚設置部５４，５５の後部にも設置して使用することができる。
【００５４】
ちなみ、冷蔵室３にあって対向する左側面と右側面との間の間隔が、抜き勾配の関係で当該冷蔵室３の前部に比べて後部が狭くなっていると、上段前部の棚設置部５３に対応して形成された第２の棚５７を、中段および下段の棚設置部５４，５５の後部に設置しようとしても、当該第２の棚５７の幅が大きすぎて、それら中段および下段の棚設置部５４，５５の後部に設置して使用することができなくなる不具合がある。この点、本実施形態によれば、そのような不具合を防止できる。
【００５５】
また、中段および下段の棚設置部５４，５５に設置される第１の棚５６が、前後に２分割されている場合において、それら棚設置部５４，５５の前部に設置される前側分割棚をそれら棚設置部５４，５５の後部に設置するとともに、後側分割棚をそれら棚設置部５４，５５の前部に設置することも可能になる。
【００５６】
（第２実施形態）
図２８は第２実施形態を示す。この第２実施形態は、上記した第１実施形態とは、左側壁部２４と奥壁部２６との間、および右側壁部２５と奥壁部２６との間の直角を保持する手段が異なっている。具体的には、奥壁部２６における内板３１の左右両端部（図２８には左端部のみ示す）に、貯蔵室側である前方へ突出する突出部７０を一体に形成している。突出部７０は、上から見て直角三角形状をなしている。その奥壁部２６における内板３１の端部７１は、後方に向けられ、シール部材７２を介して奥壁部２６における外板３０の内面に当接させている。突出部７０の内部には、例えば発泡スチロールの成形品である三角柱状の断熱材７３が収容されている。
【００５７】
左側壁部２４における内板３１の後部には、貯蔵室側である右側へ突出する位置決め凸部７４が設けられていて、この位置決め凸部７４の後面を、前記突出部７０の前端部に当接させている。左側壁部２４における内板３１の後端部７５は左側に向けられ、シール部材７６を介して左側壁部２４における外板３０の内面に当接させている。図示はしないが、奥壁部２６と右側壁部２５との間にも上記と同様な構成が設けられている。
【００５８】
このような構成とした第２実施形態においても、左側壁部２４および右側壁部２５と奥壁部２６とを直角状態に保持できて、左側壁部２４と右側壁部２５を平行状態に保持することができる。これにより、左側壁部２４と右側壁部２５との間に形成される貯蔵室にあって対向する左側面と右側面との間の間隔を、貯蔵室の前部と後部とでほぼ同じ寸法に設定することができ、第１実施形態と同様な作用効果を得ることができる。
【００５９】
（その他の実施形態）
キャビネット本体２ａの断熱壁に用いられる断熱パネルとしては、真空断熱パネル３２に限られず、予め成形されたものであれば、例えば発泡スチロールの成形品であってもよい。
【００６０】
断熱キャビネットとしては、冷蔵庫に限られず、温蔵庫、冷凍ショーケースその他の恒温キャビネットとして使用することができる。
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６１】
以上説明したように、本実施形態の断熱キャビネットによれば、貯蔵室にあって対向する左側面と右側面との間の間隔を前部と後部でほぼ同じに設定することができて、貯蔵室内の内装の設計の自由度を大きくすることができる。
【符号の説明】
【００６２】
図面中、１は冷蔵庫、２は断熱キャビネット、２ａはキャビネット本体、３は冷蔵室（貯蔵室）、４は野菜室（貯蔵室）、５は製氷室（貯蔵室）、６は小冷凍室（貯蔵室）、７は主冷凍室（貯蔵室）、２４は左側壁部（断熱壁）、２５は右側壁部（断熱壁）、２６は奥壁部（断熱壁）、２７は天井壁部（断熱壁）、２８は底壁部（断熱壁）、２９はコーナー固定具、３０は外板、３１は内板、３２は真空断熱パネル（断熱パネル）５３，５４，５５は棚設置部、５６は第１の棚、５７は第２の棚、６２は固定レール（レール）、６３は可動レール（レール）を示す。
【図１】
0005917115.tif 000002
【図２】
0005917115.tif 000003
【図３】
0005917115.tif 000004
【図４】
0005917115.tif 000005
【図５】
0005917115.tif 000006
【図６】
0005917115.tif 000007
【図７】
0005917115.tif 000008
【図８】
0005917115.tif 000009
【図９】
0005917115.tif 000010
【図１０】
0005917115.tif 000011
【図１１】
0005917115.tif 000012
【図１２】
0005917115.tif 000013
【図１３】
0005917115.tif 000014
【図１４】
0005917115.tif 000015
【図１５】
0005917115.tif 000016
【図１６】
0005917115.tif 000017
【図１７】
0005917115.tif 000018
【図１８】
0005917115.tif 000019
【図１９】
0005917115.tif 000020
【図２０】
0005917115.tif 000021
【図２１】
0005917115.tif 000022
【図２２】
0005917115.tif 000023
【図２３】
0005917115.tif 000024
【図２４】
0005917115.tif 000025
【図２５】
0005917115.tif 000026
【図２６】
0005917115.tif 000027
【図２７】
0005917115.tif 000028
【図２８】
0005917115.tif 000029